(57)【要約】【課題】オープンショーケースの最上段の商品陳列棚における商品補充作業を容易にする。【解決手段】前面が開口した商品貯蔵室３内に商品陳列棚６が多段に設置されるとともに、商品貯蔵室６の前面上部に位置するように、キャノピー７がショーケース本体１に取り付けられたオープンショーケースにおいて、キャノピー７を上下に開閉可能に、ショーケース本体１に蝶番２０を介してヒンジ支持させる。キャノピー７を上方に開くことにより、最上段の商品９の補充がキャノピー７に邪魔されることがなくなり、商品９の先入れ先出し作業が効率的に行える。【選択図】        図１
2004313660.tif 000002
【特許請求の範囲】
【請求項１】
前面が開口した商品貯蔵室内に商品陳列棚が多段に設置されるとともに、前記商品貯蔵室の前面上部に位置するように、キャノピーがショーケース本体に取り付けられたオープンショーケースにおいて、
前記キャノピーを上下に開閉可能に、前記ショーケース本体にヒンジ支持させたことを特徴とするオープンショーケース。
【請求項２】
前記商品陳列棚は前方へ引き出し可能なスライド式の棚板を有することを特徴とする請求項１記載のオープンショーケース。
【請求項３】
前記キャノピーを閉位置にロックするロック機構を設けたことを特徴とする請求項１又は請求項２記載のオープンショーケース。
【請求項４】
前記ロック機構は、前記キャノピー側に回動可能に取り付けられるとともにロック方向に付勢力を受けるロックレバーと、前記ショーケース本体側に固定されたロック金具とからなり、前記ロックレバーは前記ロック金具と係合することにより前記キャノピーを閉位置にロックするとともに、前記付勢力に抗して他方向に回動操作されることにより前記キャノピーのロックを解除し、前記キャノピーが開位置から閉位置に復帰すると前記付勢力により前記ロック金具と自動的に係合し、前記キャノピーをロックすることを特徴とする請求項３記載のオープンショーケース。
【請求項５】
前記付勢力を前記ロックレバーの自重で得るようにしたことを特徴とする請求項４記載のオープンショーケース。
【請求項６】
開位置又は閉位置で相対する前記キャノピー及びショーケース本体の当接面の一方にクッション材を取り付けたことを特徴とする請求項１又は請求項２記載のオープンショーケース。
【発明の詳細な説明】
【０００１】
【発明の属する技術分野】
この発明は、多段式オープンショーケースに関し、特にキャノピーの構造に関する。
【０００２】
【従来の技術】
多段式オープンショーケースは、前面が開口した商品貯蔵室内に商品陳列棚が多段に設置されるとともに、商品貯蔵室の前面上部に位置するように、キャノピーがショーケース本体に取り付けられているのが普通である。この種のオープンショーケースは、例えば特許文献１や特許文献２に記載されているが、図７はスライド式の棚板を有する従来のオープンショーケースの最上段の棚部分を示す要部縦断面図である。図７において、断熱壁からなるショーケース本体１の内側には、パネル２により前面が開口した商品貯蔵室３が区画され、ショーケース本体１とパネル２との間には冷気の循環通風路４が形成されている。循環通風路４の前端には斜め下向きに冷気吹出口５が形成され、この冷気吹出口５から吹き出される冷気により商品貯蔵室前面にエアカーテンが形成される。
【０００３】
商品貯蔵室３内には、商品陳列棚６が多段（図７は最上段のみを示す。）に設置されている。商品陳列棚６はスライド式で、２点鎖線で示すように前方に引き出し可能な棚板６ａを有している。一方、ショーケース本体１には、商品貯蔵室３の前面上部に位置するように、キャノピー７が左右に渡って取り付けられている。キャノピー７は、ショーケース本体１の天井壁前端部から前下方に張り出す化粧枠で、その内側には照明灯（蛍光灯）８や図示しないナイトカバーなどが設置されている。図示ショーケースはペット飲料（ペットボトル入りの飲料）販売用で、図示の場合は棚板６ａ上に前後４列のペット飲料９が陳列されている。
【０００４】
【特許文献１】
特開２０００−１３９６３６号公報
【特許文献２】
特開２００２−１６８５５４号公報
【０００５】
【発明が解決しようとする課題】
ショーケースによる商品販売では、先入れ先出し、つまり先に入れた商品が先に取り出されるように陳列して、古い商品が滞留しないようにするのが原則である。図７に示したペット飲料９の場合、棚板６ａは庫内に押し込まれた陳列位置では前方に傾斜しているため、手前側の商品９が購入者により取り出されると、奥側の商品９が自重で前方へ滑り出る。例えば、図示の通り手前側２本が売れて奥側２本が手前に移動し、奥側に２本分の空きスペースが生じたとすると、上記先入れ先出しを守るために、新たな商品９は奥側に補充する必要がある。
【０００６】
上記先入れ先出し作業を効率的に行うために、図示のようなスライド式の商品陳列棚６が、特に飲料販売を目的としたショーケースで普及してきた。ところが、キャノピー７は棚板６ａよりもかなり前方に突き出ているので、最上段の商品陳列棚６に商品９を補充する際に、図示のように棚板６ａを前方に引き出したとしても、商品９がキャノピー７に当り奥側に挿入できず、商品陳列棚６はスライド式としての機能を十分に果たすことができなかった。そのため、従来は棚板６ａ上の古い商品９をいったん取り去り、新たな商品９を棚板６ａの奥側に装填した後、さきほどの古い商品９をその前方に置き直すことが必要で、最上段の商品補充作業が煩雑であった。
【０００７】
そこで、この発明の課題は、オープンショーケースの最上段の商品陳列棚における商品補充作業を容易にすることにある。
【０００８】
【課題を解決するための手段】
上記課題を解決するために、この発明は、前面が開口した商品貯蔵室内に商品陳列棚が多段に設置されるとともに、前記商品貯蔵室の前面上部に位置するように、キャノピーがショーケース本体に取り付けられたオープンショーケースにおいて、前記キャノピーを上下に開閉可能に、前記ショーケース本体にヒンジ支持させるものとする（請求項１）。この請求項１の発明によれば、キャノピーを上方に開放することにより、最上段の商品の補充がキャノピーに邪魔されることなくできる。
【０００９】
請求項１の発明において、前記商品陳列棚は前方へ引き出し可能なスライド式の棚板を有するものとすれば、商品の補充が一層容易になる（請求項２）。
【００１０】
請求項１又は請求項２の発明において、前記キャノピーを閉位置にロックするロック機構を設けるのがよい（請求項３）。ショーケースは購入者が商品を自由に取り出すため、開閉可能なキャノピーは購入者の手が触れて開放される恐れがあるが、ロック機構を設けておけばそのような開放の危険がなくなる。
【００１１】
請求項３の発明において、前記ロック機構は、前記キャノピー側に回動可能に取り付けられるとともにロック方向に付勢力を受けるロックレバーと、前記ショーケース本体側に固定されたロック金具とからなり、前記ロックレバーは前記ロック金具と係合することにより前記キャノピーを閉位置にロックするとともに、前記付勢力に抗して他方向に回動操作されることにより前記キャノピーのロックを解除し、前記キャノピーが開位置から閉位置に復帰すると前記付勢力により前記ロック金具と自動的に係合し、前記キャノピーをロックするものとするのがよい（請求項４）。このようにロック機構を自動ロック式とすることにより、ロック忘れがなくなる。
【００１２】
請求項４の発明において、前記付勢力は前記ロックレバーの自重で得るようにするのがよい（請求項５）。ロックレバーに対する付勢力は捩りばねなどの装着によっても得ることができるが、ロックレバーの自重を利用するようにすれば、ばね部品が不要となり、それだけ構成が簡単になる。
【００１３】
請求項１又は請求項２の発明において、開位置又は閉位置で相対する前記キャノピー及びショーケース本体の当接面の一方には、クッション材を取り付けるのがよい（請求項６）。これにより、キャノピーの開閉操作に伴う衝撃をクッション材で吸収し、その衝撃で照明灯やナイトカバーなどが損傷する危険を避けることができる。
【００１４】
【発明の実施の形態】
以下、図１〜図６に基づいて、従来例で示したものと同様のペット飲料販売用のショーケースにおけるこの発明の実施の形態について説明する。なお、従来例と対応する部分には同一の符号を用いるものとする。まず、図６はショーケースの全体構成を示すもので、図６（Ａ）は側面図、同（Ｂ）は正面図である。図６において、断面Ｃ形の断熱壁を有するショーケース本体１内には、パネル２により循環通風路４を介して商品貯蔵室３が区画されている。商品貯蔵室３内には、上下４段のスライド式の商品陳列棚６が設置され、各商品陳列棚６は最上段に２点鎖線で示したように、前方に引き出し可能な棚板６ａを有している。ショーケース本体１には、商品貯蔵室３の前面上部に位置するように、キャノピー７が左右に渡って取り付けられている。各段の商品陳列棚６上には、ペット飲料からなる商品９が前後４列に陳列されている。商品貯蔵室３の左右側面は、透明なガラス板で閉じられている。
【００１５】
図６（Ａ）において、循環通風路４内には、冷却器１０及び庫内ファン１１が設置され、ショーケース本体下部には、冷却器１０を蒸発器とする冷凍機のコンデンシングユニット１２が設置されている。図示ショーケースは冷温兼用で、各商品陳列棚６の下面には、図示しないがヒータがそれぞれ装備されている。庫内全室を冷蔵にする場合は、冷却器１０及び庫内ファン１１を運転し、冷却器１０を通過させた庫内空気を循環通風路４を通して冷気吹出口５から吹き出し、リターングリル１３から吸い込むように循環させる。また、庫内全室を温蔵にする場合は、冷却器１０及び庫内ファン１１を停止してヒータに通電する。
【００１６】
一方、例えば商品陳列棚６の上２段を温蔵にし、下２段を冷蔵にするために仕切壁１４が設けられている。仕切壁１４内には迂回通風路１５が形成され、その前端部には冷気吹出口１６が形成されるとともに、後端部には循環冷気を迂回通風路１５に導く前後スライド式のダンパ１７が設けられている。ダンパ１７を後方にスライドさせて図示の通り循環通風路４中に突出させ、冷却器１０及び庫内ファン１１を運転すると、冷却器１０を通過して冷却された庫内空気はダンパ１７により迂回通風路１５に導かれ、冷気吹出口１６から吹き出して下２段の商品９を冷却する。また、仕切壁１４により冷気を遮断された上２段の商品９は、ヒータの通電により加熱される。ダンパ１７を前方にスライドさせて循環通風路４から後退させれば、上記した全室冷蔵が可能になる。なお、仕切壁１４は着脱移動式で、最上段と２段目との間に移動させれば、最上段の商品９のみを温蔵とすることができる。
【００１７】
図２は、図６におけるキャノピー部分を拡大して示した側面図である。キャノピー７は断面Ｊ字状のキャノピー本体１８と、その内側に、例えばスポット溶接により片持ち式に固定された反射板１９とからなり、いずれも鋼板からなっている。キャノピー７はキャノピー本体１８の前後両端が直角に折り曲げられ、その後端折曲げ部１８ａを介して、蝶番２０によりショーケース本体１に上下に開閉可能にヒンジ支持されている。なお、キャノピー本体１８の左右両端は２箇所の耳片１８ｂ，１８ｃが内側に直角に折り曲げられ、補強リブを形成している。反射板１９の下側には、商品貯蔵室３の内部を照らす蛍光灯８が、図示しない把持バンドを介して支持されている。
【００１８】
反射板１９の両端には、左右一対のロックレバー２１が設けられている。ロックレバー２１は厚手（例えば厚さ３ｍｍ程度）の鋼板からなり、図示の通り、フック２１ａ、ストッパ２１ｂ及びハンドル２１ｃからなる三又状に形成されている。このロックレバー２１は、反射板１９に固定された取付金具２２に段付ねじからなる支軸２３を介して回動可能に支持されている。一方、ショーケース本体側には、ロックレバー２１に対応してロック金具２４が設けられている。ロック金具２４は方形の鋼板がへ字状に折り曲げられて形成され、一端で冷気吹出口５の手前側の壁に固定され、他端がロックレバー２１側に斜めに突出している。なお、図示しないが、左右のロックレバー２１の間には、夜間、商品貯蔵室前面を覆うナイトカバーが巻き上げられて収納されている。
【００１９】
２５及び２６は、ゴムからなる小ネジ状のクッション材である。クッション材２５は反射板１９の一端の屈曲部に、この部分にあけられた穴に押し込まれるようにして取り付けられている。このクッション材２５は、キャノピー７の図示閉位置、つまり定常位置において、相対するショーケース本体１の当接面に接触している。クッション材２６は、ショーケース本体１の上面に同様に取り付けられ、後述するキャノピー７の開位置において、反転したキャノピー７の上面に接触する。クッション材２５はショーケース本体側に取り付け、クッション材２６はキャノピー側に取り付けることも可能である。
【００２０】
さて、キャノピー７は支軸２３を支点に回動し、上下に開閉可能である。すなわち、キャノピー７は図示閉位置から反時計方向に手動で回動させることにより開放するが、図２の状態ではロックレバー２１のフック２１ａがロック金具２４に係合し、キャノピー７を閉位置にロックしているため開放できない。ここで、ロックレバー２１のハンドル２ｃは大きな重量を持つように、図示の通りフック２１ａ、ストッパ２１ｂよりも幅広に作られており、ロックレバー２１は重心に作用する重力Ｇにより、図２の時計方向に付勢され、ストッパ２１ｂが反射板１９の下面に当接して図示姿勢を保つとともに、フック２１ａがロック金具２４に係合している。
【００２１】
図２の状態からロックを解除するには、図３に矢印で示すようにロックレバー２１を反時計方向に回動させる。これにより、図４に示すようにキャノピー７の回動が可能になるので、そのまま図５の反転位置まで回動させてキャノピー７を開放する。その際、クッション材２６がキャノピー７を受け止め、蛍光灯８などへの衝撃を緩和する。また、ロックレバー２１は開放の途中で反時計方向に反転し、ハンドル２１ｃが反射板１９に当接して、図５に示す姿勢で停止する。図５の状態からキャノピー７を時計方向に回動させれば、図２の状態に閉止することができる。その過程で、ロックレバー２１は自重により時計方向に回動し、図４に示すようにフック２１ａの先端がロック金具２４に突き当たる。この状態から、キャノピー７を更に時計方向に回動させれば、ロックレバー２１は反時計方向に少し戻ってロック金具２４を乗り越え、最終的に図２に示すように係合する。
【００２２】
図１は、キャノピー７を開放した状態での最上段の商品（ペット飲料）９の装填を示す要部側面図である。図示の通り、キャノピー７を開放して棚板６ａを引き出せば、一番奥の商品９もキャノピー７に妨げられることなく装填が可能である。これにより、従来、ネックになっていた最上段の商品陳列棚６の商品９の装填が容易になる。
【００２３】
また、ロックレバー２１とロック金具２４とからなるロック機構を設けることにより、不特定者によりキャノピー７が開放される恐れがなくなるとともに、ロックレバー２１にはロック方向に付勢力を与え、自動ロックを図ることによりロック忘れがなくなる。その場合、付勢力をロックレバー２１の自重で生じさせることにより、別途のばね部品が不要になり構成が簡単になる。更に、キャノピー開閉時の当接面にクッション材２５，２６を設けることにより、キャノピー７の開閉に伴う衝撃を緩和し、この衝撃による照明灯８などの損傷を防ぐことができる。なお、図示実施の形態ではスライド式の商品陳列棚３の例を示したが、この発明は棚板が固定されたショーケースに適用しても、商品の装填が容易になる点に変りはない。また、商品９についてもペット飲料に限定されるものではなく、この発明は、缶飲料はもちろん、種々の商品販売を行うショーケースに適用可能である。
【００２４】
【発明の効果】
以上の通り、この発明によれば、最上段の商品陳列棚においても手前側の商品をいちいち取り出すことなく奥側に商品を装填することが可能になり、ショーケースに不可欠な先入れ先出しを効率的に行うことができる。
【図面の簡単な説明】
【図１】この発明の実施の形態を示すショーケースの要部側面図である。
【図２】図１におけるキャノピー部分のキャノピー閉止状態を示す側面図である。
【図３】図２のキャノピー部分のロック解除状態を示す側面図である。
【図４】図２のキャノピー部分のキャノピー開放過程を示す側面図である。
【図５】図２のキャノピー部分のキャノピー開放状態を示す側面図である。
【図６】この発明の実施の形態のオープンショーケースを示し、（Ａ）は側面図、（Ｂ）はその正面図である。
【図７】従来例を示すオープンショーケースのキャノピー部分の側面図である。
【符号の説明】
１    ショーケース本体
３    商品貯蔵室
６    商品陳列棚
６ａ  棚板
９    商品
２０    蝶番
２１    ロックレバー
２２    取付金具
２３    支軸
２４    ロック金具
２５    クッション材
２６    クッション材
【図１】
2004313660.tif 000003
【図２】
2004313660.tif 000004
【図３】
2004313660.tif 000005
【図４】
2004313660.tif 000006
【図５】
2004313660.tif 000007
【図６】
2004313660.tif 000008
【図７】
2004313660.tif 000009